(57)【要約】【課題】自動調整を短時間で行うことのできるプロジェクタ装置を提供する。【解決手段】ウェイト時間計算部１９は、プロジェクタ装置への入力信号の周波数に基づいてウェイト時間を算出する。検出結果取得部１５は、入力信号から検出されるデータを、ウェイト時間計算部１９によって算出されたウェイト時間の間隔で複数回取得する。自動調整部（１６、１７）は、検出結果取得部１５によって取得されたデータに基づいて、入力信号の映像を調整して出力用の映像を生成する。【選択図】図１
2007163684.tif 000002
【特許請求の範囲】
【請求項１】
入力信号の映像を調整して出力するプロジェクタ装置であって、
前記入力信号の垂直周波数に基づいてウェイト時間を算出するウェイト時間計算部と、
前記入力信号から検出されるデータを、前記ウェイト時間計算部によって算出された前記ウェイト時間の間隔で複数回取得する検出結果取得部と、
前記検出結果取得部によって取得されたデータに基づいて、前記入力信号の映像を調整する自動調整部とを有するプロジェクタ装置。
【請求項２】
前記ウェイト時間計算部は、前記入力信号の周期を前記ウェイト時間とする、請求項１に記載のプロジェクタ装置。
【請求項３】
前記検出結果取得部は、取得した複数個のデータに基づいて、前記自動調整部で用いるデータを確定する、請求項１または２に記載のプロジェクタ装置。
【請求項４】
前記データは映像位置のデータであり、
前記自動調整部は、前記映像位置と前記入力信号の周波数とを用いて前記入力信号の映像の解像度を求め、映像出力用の所定の解像度に調整する、請求項１から３のいずれか１項に記載のプロジェクタ装置。
【請求項５】
前記データは映像レベルのデータであり、
前記自動調整部は、入力の前記映像レベルが安定するように、前記入力信号を取り込むタイミングの位相を調整する、請求項１から４のいずれか１項に記載のプロジェクタ装置。
【請求項６】
前記データは映像レベルのデータであり、
前記自動調整部は、出力の映像レベルが所定範囲内となるように前記映像レベルの利得を調整する、請求項１から５のいずれか１項に記載のプロジェクタ装置。
【請求項７】
前記自動調整部は、前記入力信号の同期信号を基準とし、前記入力信号の周波数を用いて画像処理の開始タイミングを求め、該開始タイミングで画像処理が開始されるように調整する、請求項１から６のいずれか１項に記載のプロジェクタ装置。
【請求項８】
プロジェクタ装置が入力信号の映像を調整するための映像調整方法であって、
前記入力信号の垂直周波数に基づいてウェイト時間を算出するステップと、
前記入力信号から検出されるデータを前記ウェイト時間の間隔で複数回取得するステップと、
取得された前記データに基づいて、前記入力信号の映像を調整するステップとを有する映像調整方法。
【請求項９】
前記入力信号の周期を前記ウェイト時間とする、請求項８に記載の映像調整方法。
【請求項１０】
取得した複数個のデータに基づいて、前記入力信号の映像の調整に用いるデータを確定する、請求項８または９に記載の映像調整方法。
【発明の詳細な説明】
【技術分野】
【０００１】
本発明は、自動調整機能を有するプロジェクタに関する。
【背景技術】
【０００２】
近年のプロジェクタ装置の進歩は目覚ましく、より簡単に使用できるように様々な要求に応じて様々な改良がなされている。その中で、利用者が何らの調整も行うこと無く、映像信号を入力するだけで良好な画像を投写できることが求められている。
【０００３】
それを実現するためには、プロジェクタ装置は、入力された映像信号を元に画像に様々な自動調整を行う必要がある。従来、入力信号に対して自動的に調整を行なうプロジェクタ装置が提案されている（例えば特許文献１参照）。プロジェクタ装置を簡単に使用できるようにするために、自動調整の対象となる項目として、例えば解像度、位相、映像レベル、画像の表示位置がある。
【０００４】
解像度の調整とは、入力信号の解像度をプロジェクタ装置の映像出力用の解像度にすることである。そのためには、まず入力信号の解像度を求め、その解像度から所定のアルゴリズムにより映像出力用の解像度に変換する必要がある。位相の調整とは、入力信号を取り込むための位相（サンプリング位相）を調整し、良好なゲインが安定して得られるようにすることである。これによりチラツキの少ない安定した映像を出力できるようになる。映像レベルの調整は、出力の映像レベルが所定の範囲内となるように映像信号の振幅を調整することである。これにより適切な明るさの映像を出力することができるようになる。表示位置の調整とは、入力した映像信号の同期信号を基準に、画像処理の開始タイミングを画像表示素子に合わせることである。画像位置の調整は解像度、位相、映像レベルの調整後に行われため、これらの処理が高速に行われれば、画像表示位置の調整も高速化されることになる。
【０００５】
これらの自動調整は、多くの場合、映像信号または同期信号から検出されるデータを元に行なわれる。そのため、映像信号または同期信号から検出される所定のデータを取得する必要がある。その際、良好な自動調整を行うために、入力信号のばらつき等を考慮して時間間隔をあけて複数回にわたってデータを取得するのが一般的である。
【特許文献１】特開平６−２２１６４号公報
【発明の開示】
【発明が解決しようとする課題】
【０００６】
上述したように、映像信号または同期信号から検出されるデータを取得する場合、時間間隔をあけて複数回にわたって行なわれるが、映像信号または同期信号から検出されるデータは、入力信号の周期毎に更新されるので、入力信号の周波数が低いければ、この時間間隔を長くする必要がある。
【０００７】
通常、プロジェクタは様々な周波数の入力信号を許容する仕様となっている。そのため、従来のプロジェクタは、映像信号または同期信号から検出される所定のデータを取得する時間間隔は、許容する入力信号の中で最も低い周波数の信号に合わせて設定していた。例えば、許容される最低の周波数が２４Ｈｚであれば、入力信号の最大の周期は４２ｍｓｅｃとなる。そのため、ウェイト時間は４２ｍｓｅｃ以上である必要がある。従来のプロジェクタ装置は、この４２ｍｓｅｃのウェイト時間を全ての入力信号に対して用いていた。そのため、入力信号の周波数が２４Ｈｚよりも高い場合、プロジェクト装置は必要以上に長いウェイト時間が開けていることになる。
【０００８】
この無駄なウェイト時間が、映像信号または同期信号から検出されるデータを取得するために要する時間を長くし、映像を表示するまでにかかる時間を長くする要因となっていた。言うまでもなく、プロジェクタ装置の映像表示にかかる時間は短ければ短い程よい。
【０００９】
本発明の目的は、自動調整を短時間で行うことのできるプロジェクタ装置を提供することである。
【課題を解決するための手段】
【００１０】
上記目的を達成するために、本発明のプロジェクタ装置は、
入力信号の映像を調整して出力するプロジェクタ装置であって、
前記入力信号の垂直周波数に基づいてウェイト時間を算出するウェイト時間計算部と、
前記入力信号から検出されるデータを、前記ウェイト時間計算部によって算出された前記ウェイト時間の間隔で複数回取得する検出結果取得部と、
前記検出結果取得部によって取得されたデータに基づいて、前記入力信号の映像を調整する自動調整部とを有している。
【００１１】
本発明によれば、ウェイト時間計算部が周波数情報を用いて実際に受信中の入力信号に適するウェイト時間を計算し、検出結果取得部がそのウェイト時間をあけてデータを取得するので、入力信号の垂直周波数に応じて適切なウェイト時間を設定し、データの読み出しに必要以上に長い時間がかかるのを防止することができ、自動調整にかかる時間を短縮することができる。
【００１２】
また、前記ウェイト時間計算部は、前記入力信号の周期を前記ウェイト時間とすることとしてもよい。
【００１３】
これにより、最短の時間で複数のデータを取得することができる。
【００１４】
また、前記検出結果取得部は、取得した複数個のデータに基づいて、前記自動調整部で用いるデータを確定することとしてもよい。
【００１５】
これにより、入力信号のばらつきを排除し、良好な自動調整を行うことができる。
【００１６】
また、前記データは映像位置のデータであり、
前記自動調整部は、前記映像位置と前記入力信号の周波数とを用いて前記入力信号の映像の解像度を求め、映像出力用の所定の解像度に調整することとしてもよい。
【００１７】
また、前記データは映像レベルのデータであり、
前記自動調整部は、入力の前記映像レベルが安定するように、前記入力信号を取り込むタイミングの位相を調整することとしてもよい。
【００１８】
位相調整は最適な位相を探し出す制御なので位相の設定と変更を何度も繰り返すこととなるので、大きな時間短縮の効果を得ることができる。
【００１９】
また、前記データは映像レベルのデータであり、
前記自動調整部は、出力の映像レベルが所定範囲内となるように前記映像レベルの利得を調整することとしてもよい。
【００２０】
また、前記自動調整部は、前記入力信号の同期信号を基準とし、前記入力信号の周波数を用いて画像処理の開始タイミングを求め、該開始タイミングで画像処理が開始されるように調整することとしてもよい。
【発明の効果】
【００２１】
本発明によれば、ウェイト時間計算部が周波数情報を用いて実際に受信中の入力信号に適するウェイト時間を計算し、検出結果取得部がそのウェイト時間をあけてデータを取得するので、入力信号の周波数に応じて適切なウェイト時間を設定し、データの読み出しに必要以上に長い時間がかかるのを防止することができ、自動調整にかかる時間を短縮することができる。
【発明を実施するための最良の形態】
【００２２】
本発明を実施するための形態について図面を参照して詳細に説明する。
【００２３】
図１は、第１の実施形態によるプロジェクタ装置の構成を示すブロック図である。第１の実施形態では、自動的に解像度を調整するプロジェクタ装置を例示する。解像度の調整とは、入力信号の解像度をプロジェクタ装置の映像出力用の解像度にすることである。そのためには、まず入力信号の解像度を求め、その解像度から所定のアルゴリズムにより映像出力用の解像度に変換する必要がある。
【００２４】
図１を参照すると、本実施形態のプロジェクタ装置は、映像／同期信号受信制御部１１、映像位置検出部１２、検出結果更新部１３、検出結果記憶部１４、検出結果読み出し処理部１５、解像度計算処理部１６、解像度設定処理部１７、同期信号周波数カウンタ部１８、およびウェイト時間計算処理部１９を有している。
【００２５】
映像／同期信号受信制御部１１は様々な種類の映像信号および同期信号を受信する。
【００２６】
映像位置検出部１２は、映像／同期信号受信制御部１１にて受信された信号から映像の位置を検出する。
【００２７】
検出結果記憶部１４は、映像位置検出部１２にて検出された結果のデータを記憶する。
【００２８】
検出結果更新部１３は、垂直同期信号に同期して、映像位置検出部１２にて検出された結果により検出結果記憶部１４に記憶されているデータを更新する。
【００２９】
検出結果読み出し処理部１５は、検出結果記憶部１４に記憶されているデータを、設定されたウェイト時間をあけて所定回にわたって読み出し、得られたデータを解像度計算処理部１６に送る。読み出しのタイミングを定めるウェイト時間はウェイト時間計算処理部１９により設定される。
【００３０】
同期信号周波数カウンタ部１８は、映像／同期信号受信制御部１１にて受信された信号の周波数（垂直周波数）を検出する。
【００３１】
解像度計算処理部１６は、検出結果読み出し処理部１５によって読み出されたデータと、同期信号周波数カウンタ部１８によって検出された周波数情報とを元に映像信号の解像度を計算する。
【００３２】
解像度設定処理部１７は、解像度計算処理部１６によって計算された映像信号の解像度の情報を用い、入力の映像信号を出力用の解像度に調整する。
【００３３】
ウェイト時間計算処理部１９は、同期信号周波数カウンタ部１８で検出された周波数情報からウェイト時間を計算し、検出結果読み出し処理部１５に設定する。算出されるウェイト時間は入力信号の周期に応じた値であり、周波数が低ければ長くなり、周波数が高ければ短くなる。
【００３４】
検出結果更新部１３により垂直同期信号に同期して更新されるデータは周期以内で再び読み出しても、更新されていない同じデータが読み出されるだけである。そのため、ウェイト時間は入力信号の周期以上である必要がある。例えば、周波数情報から周期を求め、それをウェイト時間とすればよい。これにより、最短の時間で複数のデータを取得することができる。また、ウェイト時間は周期より長くてもよく、例えば周期の所定倍とすることとしてもよい。
【００３５】
このような構成を有するプロジェクタ装置の動作について以下に説明する。
【００３６】
図２は、第１の実施形態のプロジェクタ装置の動作を示すフローチャートである。ここでは、検出結果読み出し処理部１５およびウェイト時間計算処理部１９の動作について説明する。
【００３７】
図２を参照すると、まず、検出結果読み出し処理部１５は、検出結果記憶部１４からデータを取得する（ステップＡ１）。次に、検出結果読み出し処理部１５は、データを取得した回数が閾値のｎ回に達したか否か判定する（ステップＡ２）。
【００３８】
データ取得回数がｎ回に達していなければ、検出結果読み出し処理部１５は、設定されたウェイト時間だけ待った後にステップＡ１に戻って次のデータを取得する。
【００３９】
一方、データ取得回数がｎ回に達していれば、検出結果読み出し処理部１５は、得られたｎ個のデータに基づいて取得データを確定させ（ステップＡ５）、処理を終了する。一例として、所定回連続して同じ映像位置が検出されたことを条件に、その位置を映像位置と確定させればよい。これにより、入力信号のばらつきを排除し、良好な自動調整が可能となる。
【００４０】
ステップＡ３にて検出結果読み出し処理部１５に用いられるウェイト時間は、ウェイト時間計算処理部１９が、同期信号周波数カウンタ部１８からの周波数情報（垂直周波数情報）に基づいてウェイト時間を計算する（ステップＡ４）。
【００４１】
以上説明したように、本実施形態によれば、ウェイト時間計算処理部１９が、同期信号周波数カウンタ部１８で得られた垂直周波数情報を用いて、実際に受信中の入力信号に適するウェイト時間を計算し、検出結果読み出し処理部１５がそのウェイト時間をあけて検出結果記憶部１４から自動調整に必要なデータを取得するので、入力信号の周波数に応じて適切なウェイト時間を設定し、データの読み出しに必要以上に長い時間がかかるのを防止することができる。その結果、本実施形態のプロジェクタ装置は自動調整にかかる時間を短縮することができる。
【００４２】
例えば、許容される最低の周波数が２４Ｈｚであるが、実際に受信中の入力信号の周波数が６０Ｈｚである場合、プロジェクタ装置は、最低周波数（２４Ｈｚ）に合わせた４２ｍｓｅｃではなく、実際の周波数（６０Ｈｚ）に合わせた１７ｍｓｅｃをウェイト時間とするので、無駄なウェイト時間を低減し、自動調整の時間を短縮することができる。
【００４３】
図３は、第２の実施形態によるプロジェクタ装置の構成を示すブロック図である。第２の実施形態では、自動的に位相を調整するプロジェクタ装置を例示する。位相の調整とは、入力信号を取り込むタイミングの位相（サンプリング位相）を調整し、良好なゲインが安定して得られるようにすることである。これによりチラツキの少ない安定した映像を出力できるようになる。
【００４４】
図３を参照すると、本実施形態のプロジェクタ装置は、映像／同期信号受信制御部１１、映像レベル検出部２２、検出結果更新部１３、検出結果記憶部１４、検出結果読み出し処理部１５、位置調整最適化処理部２６、位相制御部２７、同期信号周波数カウンタ部１８、およびウェイト時間計算処理部１９を有している。
【００４５】
映像／同期信号受信制御部１１、同期信号周波数カウンタ部１８、およびウェイト時間計算処理部１９は第１の実施形態と同じものである。
【００４６】
映像レベル検出部２２は、映像／同期信号受信制御部１１にて受信された信号から映像レベルを検出する。
【００４７】
検出結果記憶部１４は、映像レベル検出部２２にて検出された結果のデータを記憶する。
【００４８】
検出結果更新部１３は、垂直同期信号に同期して、映像位置検出部２２にて検出された結果により検出結果記憶部１４に記憶されているデータを更新する。
【００４９】
検出結果読み出し処理部１５は、検出結果記憶部１４に記憶されているデータを、設定されたウェイト時間をあけて所定回にわたって読み出し、得られたデータを位相調整最適化部２６に送る。読み出しのタイミングを定めるウェイト時間はウェイト時間計算処理部１９により設定される。
【００５０】
同期信号周波数カウンタ部１８は、映像／同期信号受信制御部１１にて受信された信号の周波数（垂直周波数）を検出する。
【００５１】
位相調整最適化処理部２６は、検出結果読み出し処理部１５によって読み出されたデータに基づき現在の位相が最適であるか否か判断し、最適でなれば位相制御部２７に他の位相への変更を指示する。この位相の変更と最適かどうかの判断を繰り返すことで位相の調整が行なわれる。例えば、取り込まれる映像レベルが最大となる位相を最適な位相であるとすればよい。
【００５２】
位相制御部２７は、位相調整最適化処理部２６からの指示に従って位相を設定する。
【００５３】
ウェイト時間計算処理部１９は、同期信号周波数カウンタ部１８で検出された周波数情報からウェイト時間を計算し、検出結果読み出し処理部１５に設定する。算出されるウェイト時間は入力信号の周期に応じた値であり、周波数が低ければ長くなり、周波数が高ければ短くなる。例えば、周波数情報から周期を求め、それをウェイト時間とすればよい。あるいは、周期の所定倍をウェイト時間とすることとしてもよい。
【００５４】
以上説明したように、本実施形態によれば、ウェイト時間計算処理部１９が、同期信号周波数カウンタ部１８で得られた垂直周波数情報を用いて、実際に受信中の入力信号に適するウェイト時間を計算し、検出結果読み出し処理部１５がそのウェイト時間をあけて検出結果記憶部１４から自動調整に必要なデータを取得するので、入力信号の周波数に応じて適切なウェイト時間を設定し、データの読み出しに必要以上に長い時間がかかるのを防止することができる。その結果、本実施形態のプロジェクタ装置は自動調整にかかる時間を短縮することができる。
【００５５】
また、位相調整は最適な位相を探し出す制御なので、位相の設定と変更を何度も繰り返すこととなり、解像度の調整よりも時間短縮の効果が大きい。
【００５６】
また、設定可能な位相幅が小さければ、調整にかかる時間を同じにするには位相調整の制御頻度を高くする必要がある。頻度を高くするには１回の制御を短時間で行うことが必要となり、本実施形態による時間短縮がより効果的である。
【００５７】
図４は、第３の実施形態によるプロジェクタ装置の構成を示すブロック図である。第３の実施形態では、自動的に映像レベルを調整するプロジェクタ装置を例示する。映像レベルの調整は、出力の映像レベルが所定の範囲内となるように映像信号の振幅を調整することである。これにより適切な明るさの映像を出力することができるようになる。
【００５８】
図４を参照すると、本実施形態のプロジェクタ装置は、映像／同期信号受信制御部１１、映像レベル検出部２２、検出結果更新部１３、検出結果記憶部１４、検出結果読み出し処理部１５、映像レベル最適化処理部２６、映像レベル制御部２７、同期信号周波数カウンタ部１８、およびウェイト時間計算処理部１９を有している。
【００５９】
図４に示した本実施形態のプロジェクタ装置は、位相調整最適化処理部２６が映像レベル最適化処理部３６に、位相制御部２７が映像レベル制御部３７に置き換えられている点で図３に示した第２の実施形態と異なる。
【００６０】
映像レベル最適化処理部３６は、検出結果読み出し処理部１５によって読み出されたデータに基づき現在の出力の映像レベルが最適であるか否か判断し、最適でなれば映像レベル制御部３７に映像レベルの変更を指示する。
【００６１】
映像レベル制御部３７は、映像レベル最適化処理部３６からの指示に従って出力の映像レベルを設定する。
【００６２】
本実施形態によれば、映像レベルの自動調整にかかる時間を短縮することができる。
【図面の簡単な説明】
【００６３】
【図１】第１の実施形態によるプロジェクタ装置の構成を示すブロック図である。
【図２】第１の実施形態のプロジェクタ装置の動作を示すフローチャートである。
【図３】第２の実施形態によるプロジェクタ装置の構成を示すブロック図である。
【図４】第３の実施形態によるプロジェクタ装置の構成を示すブロック図である。
【符号の説明】
【００６４】
１１    映像／同期信号受信制御部
１２    映像位置検出部
１３    検出結果更新部
１４    検出結果記憶部
１５    検出結果読み出し処理部
１６    解像度計算処理部
１７    解像度設定処理部
１８    同期信号周波数カウンタ部
１９    ウェイト時間計算処理部
２２    映像レベル検出部
２６    位相調整最適化処理部
２７    位相制御部
３６    映像レベル最適化処理部
３７    映像レベル制御部
Ａ１〜Ａ５    ステップ
【図１】
2007163684.tif 000003
【図２】
2007163684.tif 000004
【図３】
2007163684.tif 000005
【図４】
2007163684.tif 000006